(57)【要約】【課題】領収証の貼付方法と保管方法との改善によって、領収証の保存や管理を確実且つ、容易ならしめる方法とその領収証保存紙を提供する。【解決手段】方眼、又は罫線入りの台紙に両面テープを数条貼着して、その両面テープ上に数センチメートルの等間隔に、且つ長方向に垂直にミシン孔を施し、両面テープの剥離紙を適宜に切断し易くし、尚且つ台紙の左右両端の中央よりも、やや下部方向に数個の綴じ込み穴を施したものを、予め数十枚程紐、又はバインダーに綴じ込んでおき、本発明の領収証保存紙の下端から上方へと領収証を日付順に順次貼り付けていく。又、貼付済の領収証を必要に応じて着脱を容易ならしめた領収証保存紙及び領収証管理帳。【選択図】  図３
2005319765.tif 000002
【特許請求の範囲】
【請求項１】
方眼、又は罫線を施した台紙（１）に、両面テープ（２）を１条〜数条貼着し、更に両面テープ（２）上に、両面テープ（２）の垂直方向に且つ下端から数センチメートルの等間隔置きにミシン孔（３）を台紙（１）共に貫通して施してた両面テープ付の領収証保存紙。
【請求項２】
台紙（１）の左端近傍、又は右端近傍の中央部よりやや下方向の処に、綴じ込み穴（４）を数個設けた両面テープ付領収証保存紙（１０）を、綴じ込んだ領収証管理帳（１１）。
【発明の詳細な説明】
【技術分野】
【０００１】本発明は、方眼、又は罫線入りの台紙（１）に両面テープ（２）を貼着し、その両面テープ（２）上に、長方向に垂直、且つ数センチメートルの等間隔でミシン孔（３）を施してある領収証保存紙（１０）と領収証保管帳（１１）に関するものである。
【背景技術】
【０００２】従来、罫線入りの台紙に、両面テープを貼付した領収証保存紙は、存在したことがあったが、保管面で不十分だった。
【特許文献】
【発明の開示】
【発明が解決しようとする課題】
【０００３】これには、次のような欠点があった。
両面テープの剥離紙を剥がして、粘着面幅５ミリメートル位の処へ、順次領収証を貼付していくうちに剥がされた剥離紙が、長くなって邪魔になる場合が多々あった。更に、その剥離紙を切断する際にも多々不便を感じた。又、領収証保存紙の各葉がばらばらになったまま保管されていたし、領収証を分類（例えば交通費、食費、光熱費など）毎に貼付しなかった為に、家計簿の金銭の集計や記入上効率が良くなかった。
又、領収証保存紙の下端部に貼った領収証がバインダーから食み出さないようにする必要があった。
本発明は、以上の問題点を解決しようとするものである。
【課題を解決するための手段】
【０００４】方眼、又は罫線入りの台紙に貼付した両面テープ上に、長方向に垂直に数センチメートル間隔でミシン孔を台紙共々に貫通して施す。更に、台紙の左右端の中央部よりもやや下方の端近傍に綴じ込み用の穴を左右両側に数個施す。そして、紐、又はバインダーで綴じ込んで保管する。以上の手段を特徴とする両面テープ付の領収証保存紙及び領収証管理帳である。
【発明の効果】
【０００５】本発明は、領収証を台紙上に貼着された両面テープ上に貼付する場合に、剥離紙を剥がした時に貼り付ける幅を決めやすく、更に、剥離紙の切断が容易になり、又、領収の日付順に貼付できるので管理しやすくなる。尚、一旦貼り付けた領収証を必要に応じて剥離することも貼付することも簡単、且つ容易にできる。
【発明を実施するための最良の形態】
【０００６】  以下、本発明の実施の形態を説明する。
（イ）方眼、又は罫線入りの台紙（１）に、両面テープ（２）を数条貼着し、両面テープ上にその長方向に垂直、且つ数センチメートルの等間隔にミシン孔（３）を施す。
（ロ）台紙（１）の左右両端の中央よりもやや下方の両端近傍に、綴じ込み用の穴（４）を数個施す。
（ハ）台紙（１）の裏面には、貼付開始月日と終了月日記入欄（５）と領収証の分類名欄（６）と台紙（１）各葉の通し番号欄（７）とを印刷しておく。
（ニ）台紙（１）数十枚を予め紐、又はバインダーにて綴じ込んでおき使用する。
本発明は、以上のような構造で、これを使用するときは、領収証の種類別に分類した台紙（１）に貼付しておくと、分類別の金額を集計する時便利である。
【図面の簡単な説明】
【０００７】
【図１】    領収証保存紙の平面図である。
【図２】    領収証保存紙の底面図である。
【図３】    領収証保存紙の斜視図である。
【図４】    本発明を使用中の平面図である。
【符号の説明】
１          方眼、又は罫線入りの台紙
１’        台紙の背面
２          両面テープ
２’        両面テープの剥離紙
３          ミシン孔
４          綴じ込み用の穴
５          台紙各葉の貼付開始と終了の年月日の欄
６          領収証の分類名欄
７          台紙各葉の通し番号
８          領収証
９          バインダー
９’        バインダーの下方の余白部分
１０          領収証保存紙
１１          領収証管理帳
【図１】
2005319765.tif 000003
【図２】
2005319765.tif 000004
【図３】
2005319765.tif 000005
【図４】
2005319765.tif 000006
【手続補正書】
【提出日】平成16年5月23日(2004.5.23)
【手続補正１】
【補正対象書類名】明細書
【補正対象項目名】補正の内容のとおり
【補正方法】変更
【補正の内容】
2005319765.tif 000007
2005319765.tif 000008
2005319765.tif 000009
【手続補正書】
【提出日】平成16年7月23日(2004.7.23)
【手続補正２】
【補正対象書類名】手続補正書
【補正対象項目名】手続補正１
【補正方法】変更
【補正の内容】
【手続補正１】
【補正対象書類名】明細書
【補正対象項目名】０００１
【補正方法】変更
【補正の内容】
【０００１】    本発明は、方眼、又は罫線入りの台紙に両面テープを貼着し、その両面テープ上に、その長方向に垂直且つ数センチメートルの等間隔でミシン孔を施してある領収証保存紙、及びその領収証保存紙をまとめて保管する領収証保管帳に関するものである。


【手続補正３】
【補正対象書類名】手続補正書
【補正対象項目名】手続補正２
【補正方法】追加
【補正の内容】
【手続補正２】
【補正対象書類名】明細書
【補正対象項目名】０００２
【補正方法】変更
【補正の内容】
【０００２】  かつて、十数年前に罫線入りの台紙に両面テープを貼付した領収証保存紙は、自作品として存在したことがあったが、使用上と保管面で不十分だった。


【手続補正４】
【補正対象書類名】手続補正書
【補正対象項目名】手続補正３
【補正方法】追加
【補正の内容】
【手続補正３】
【補正対象書類名】明細書
【補正対象項目名】０００４
【補正方法】変更
【補正の内容】
【０００４】  方眼、又は罫線入りの台紙に貼付した両面テープ上に、その長方向に垂直に数センチメートル間隔でミシン孔を台紙共々に貫通して施す。更に、台紙の左右両端の中央部よりもやや下方の左右両端近傍に、綴じ込み用の穴を左右両端に数個施す。そして、紐又はバインダーで綴じ込んで保管する。以上の手段を特徴とする両面テープ付の領収書保存紙、及びそれ等の領収証保存紙をまとめて保管するようにした領収証保管帳である。


【手続補正５】
【補正対象書類名】手続補正書
【補正対象項目名】手続補正４
【補正方法】追加
【補正の内容】
【手続補正４】
【補正対象書類名】明細書
【補正対象項目名】０００５
【補正方法】変更
【補正の内容】
【０００５】  本発明は受領した領収証を、台紙上に貼着された両面テープ上に貼付する場合に、剥離紙を剥がした時に方眼、又は罫線を目安にすると貼り付る幅を決めやすく、更に、剥離紙にミシン孔を施してある為に、その都度必要に応じて剥離紙の切断が容易になり、又、領収証の日付順に貼付できるので管理しやすくなる。尚、一旦貼り付けた領収書を必要に応じて剥がすことも、再度領収証を貼付することも簡単、且つ容易にできる。又、家計簿の支出項目別に分類した領収証保存紙を使用することもできる。


【手続補正６】
【補正対象書類名】手続補正書
【補正対象項目名】手続補正５
【補正方法】追加
【補正の内容】
【手続補正５】
【補正対象書類名】明細書
【補正対象項目名】０００６
【補正方法】変更
【補正の内容】
【０００６】  （ニ）領収証保存紙（１０）を数十枚予め紐、又はバインダー（９）にて綴じ込んでおいて使用する。
（ホ）バインダー（９）に綴じ込んだ領収証保存紙（１０）の下端とバインダー（９）の下端との距離が、領収証（８）の貼付上及び管理上の都合で３センチメートル〜６センチメートルになるように、バインダー（９）の下方の余白部分（９’）を形成してある。
本発明は、以上のような構造からなるが、本発明を使用するときは、受領した領収証（８）を家計簿の支出項目別に分類した領収証保存紙（１０）に貼付しておくと、分類別の金額を集計する時便利である。
尚、受領した領収証（８）を、領収証保存紙（１０）に貼付する際の１枚分の貼り付け幅は、３〜５ミリメートルが適当である。


【手続補正７】
【補正対象書類名】手続補正書
【補正対象項目名】手続補正６
【補正方法】追加
【補正の内容】
【手続補正６】
【補正対象書類名】図面
【補正対象項目名】全図
【補正方法】変更
【補正の内容】
【図１】
2005319765.tif 000010
【図２】
2005319765.tif 000011
【図３】
2005319765.tif 000012
【図４】
2005319765.tif 000013